(57)【要約】【課題】内容物の注ぎ易い頸曲がりタイプのブローボトルを提案する。【解決手段】内容物を注出する口頸部１を有し、この口頸部１の下端につながる肩部２を経て胴部３、ヒール部１０、さらに底部４を一体的に形成した合成樹脂製ブローボトルにおいて、前記肩部２に、背後からの押圧により口頸部１を容器の前方側に向けて屈曲、傾倒させて頸曲がり姿勢を保持するＶ字状や台形状の断面形状をなす溝部５を設ける。【選択図】図１
2010006424.tif 000002
【特許請求の範囲】
【請求項１】
内容物を注出する口頸部を有し、この口頸部の下端につながる肩部を経て胴部、ヒール部、さらに底部を一体的に形成した合成樹脂製ブローボトルであって、
前記肩部に、背後からの押圧により口頸部を容器の前方側に屈曲、傾倒させて頸曲がり姿勢を保持する溝部を設けたことを特徴とする合成樹脂製ブローボトル。
【請求項２】
前記溝部が肩部の少なくとも半周にわたって設けられたＶ字形状をなし、該溝部の溝底が屈曲、傾倒時の起点となる折れ目ラインを形成する、請求項１記載の合成樹脂製ブローボトル。
【請求項３】
前記溝部が肩部の少なくとも半周にわたって設けられた台形形状をなし、該溝部の溝底と、その溝底を挟む上下の傾斜壁とを連結する稜線のうち何れか一方もしくは両方が屈曲、傾倒時の起点となる折れ目ラインを形成する、請求項１記載の合成樹脂製ブローボトル。
【請求項４】
前記溝部によって形成されるラインは、肩部の背後において溝部の上縁及び下縁の少なくとも一方に連なる円弧域を有する、請求項２又は３に記載の合成樹脂製ブローボトル。
【請求項５】
前記胴部は、該胴部と一体に形成されたグリップ部を有する請求項１〜４の何れかに記載の合成樹脂製ブローボトル。
【請求項６】
胴部と底部との連結領域を形成するヒール部にボトルそのものを傾けて内容物を注出する際に接地しボトルの傾倒姿勢を安定的に保持する平坦壁を有する、請求項１〜５の何れかに記載の合成樹脂製ブローボトル。
【発明の詳細な説明】
【技術分野】
【０００１】
本発明は、合成樹脂製ブローボトルに関し、とくに口頸部を屈曲させてボトル内の内容物を安定的に注出しようとするものである。
【背景技術】
【０００２】
ペットボトルなどの合成樹脂製の容器は、効率的な生産が可能であるうえ、ガラス製の壜と較べ取り扱いも比較的容易であることから、薬剤、化粧料、酒、飲料あるいは調味料等を入れる容器として多用されており、そのサイズ、形状も多岐にわたっている。
【０００３】
とくに、最近に至っては内容物の充填容量が４リットルにも及ぶような超大型のボトルも上市されるようになってきており、内容物をこぼすことなしにいかに安定的に注出するかが技術的な課題になってきている。
【０００４】
この点に関する先行技術としては口頸部の下方に折り畳みを可能とする薄肉部を設け、内容物の注出時に口頸部を傾倒姿勢に保持して注ぎ易さの改善を図った容器が知られている（例えば、特許文献１参照）ものの、安定した傾倒姿勢を保持する点においては未だ改善の余地が残されていた。
【特許文献１】特表２００４−５２０２３６号公報
【発明の開示】
【発明が解決しようとする課題】
【０００５】
本発明の課題は、内容物がこぼれるなどの不具合なしに頸曲がり状態に安定保持できる新規な合成樹脂製ブローボトルを提案するところにある。
【課題を解決するための手段】
【０００６】
本発明は、内容物を注出する口頸部を有し、この口頸部の下端につながる肩部を経て胴部、ヒール部、さらに底部を一体的に形成した合成樹脂製ブローボトルであって、
前記肩部に、背後からの押圧により口頸部を容器の前方側に屈曲、傾倒させて頸曲がり姿勢を保持する溝部を設けたことを特徴とする合成樹脂製ブローボトルである。
【０００７】
上記の構成になる合成樹脂製ブローボトルにおいて、溝部は肩部の少なくとも半周にわたって設けられたＶ字形状をなし、該溝部の溝底が屈曲、傾倒時の起点となる折れ目ラインを形成するものがとくに有利に適合する。
【０００８】
また、上記の溝部としては肩部の少なくとも半周にわたって設けられた台形形状をなし、該溝部の溝底と、その溝底を挟む上下の傾斜壁とを連結する稜線のうち何れか一方もしくは両方が屈曲、傾倒時の起点となる折れ目ラインを形成するものを適用することもできる。
【０００９】
溝部によって形成されるラインとしては、肩部の背後において溝部の上縁及び下縁の少なくとも一方に連なる円弧域を有するものが望ましい。
【００１０】
さらに、胴部には、該胴部と一体に形成されたグリップ部を設けることができる。なお、ボトルとは別体になる把手を、インサート成形、嵌合、接着等の手法によって胴部に取り付けるようにしてもよい。
【００１１】
胴部と底部との連結領域を形成するヒール部にはボトルそのものを傾けて内容物を注出する際に接地しボトルの傾倒姿勢を安定的に保持する平坦壁を設けるのが好ましい（ボトルが起立姿勢にあるとき該平坦壁は接地面に対して特定の角度をもった傾斜壁となっている）。
【発明の効果】
【００１２】
肩部の少なくとも半周にわたってＶ字形状をなす横向きの溝部を設けると、該溝部の底壁が折れ目ラインを形成することになり、比較的小さな押圧力でもって口頸部をスムーズに屈曲、傾倒させることが可能となり、内容物がこぼれ出ることがない。
【００１３】
溝部によって形成されるラインは肩部の背後において繋がっている必要はないが、溝部の上縁及び下縁の少なくとも一方に連なる湾曲域を有することにより、口頸部を屈曲、傾倒させる際に肩部を形成する壁面の特定位置に発生しがちな応力集中を緩和することが可能となり該壁面の局所的な変形を防止し得る。
【００１４】
胴部と底部との連結領域を形成するヒール部に平坦壁を設けておくことによりボトルそのものを傾けて内容物を注出する際に接地することとなるのでボトルの傾倒姿勢が安定化する。
【発明を実施するための最良の形態】
【００１５】
以下、図面を用いて本発明をより具体的に説明する。
図１〜図６は本発明にしたがう合成樹脂製ブローボトルの実施の形態をピンチグリップ式（胴部にグリップ部を一体に成形したもの）のブローボトル（充填容量４リットル）を例として示した図であり、図１は側面を示した図であり、図２は正面を示した図であり、図３は背面（一部断面で表示）である。また、図４は図１〜図３に示したボトルの平面図、図５は図１のＡ−Ａ断面図、図６は図１〜３の底面図である。
【００１６】
図における１は内容物を注出する口頸部である。この口頸部１はボトルの最上部に設けられており上方に向けて開口している。２は口頸部１の下端につながる肩部、３は肩部２につながる胴部、４は胴部３に後述するヒール部（符号１０参照）を介してつながる底部である。
【００１７】
また、５は肩部２において少なくともその半周にわたって設けられた横向きの溝部である。この溝部５は上縁５ａ、下縁５ｂ及びその中央に位置する溝底５ｃからなるＶ字形状をなしたものを例として示しており、とくに溝底５ｃについては口頸部１を容器の前方側に向けて屈曲、傾倒する際の起点となる折れ目ラインを形成する。溝部５の下縁５ｂ、溝底５ｃはボトルの軸心Ｌを境にしてそれよりも背面側が口頸部１側へ向けて徐々に湾曲した円弧域（５ｂ′、５ｃ′）になっており（図１参照）、溝底５ｃによって形成される折れ目ラインは上縁５ａに交差したところＰが終端になっている（実際には下記において説明するパネル６の壁端６ａ、６ｂ）。溝部５の上下における傾斜壁の断面形状については、直線状（フラット）であってもよいし曲線状であってもよく、この点は限定されない。溝部５の角度は図示の例では２７０°としたが、この角度は、口頸部１を容易に屈曲させることができ、かつ傾倒時の方向性を確保する観点から２４０〜３５０°の範囲で適宜設定する（２４０°未満では屈曲が難しくなり、３５０°を超えると傾倒の方向性の確保が困難となる）。
【００１８】
６は肩部２の背後に設けられた一対のパネルである。このパネル６は減圧吸収壁として機能させることができるものであり、その壁端６ａ、６ｂには溝部５の終端が存在している。パネル６は１枚で構成することも可能であり、減圧吸収機能を有さない壁部として構成することもできる。
【００１９】
７は胴部３に一体的に設けられたグリップ部である。このグリップ部７はボトルのサイドに形成されボトルを把持する際に指を入れ込む凹部７ａ、７ｂとこの凹部７ａ、７ｂを繋ぐ背面壁７ｃからなっている。ボトルの剛性を確保するとともに握り易さを実現するためにグリップ部７の凹部７ａ、７ｂには横リブ８ａと滑り止め用の凹凸９が設けられており、背面壁７ｃには横リブ８ｂが設けられている。
【００２０】
さらに１０は胴部３と底部４の連結領域を形成するヒール部である。このヒール部１０はブローボトルの側周壁における下端部を構成する部位であり、その前方（ボトルの前方側）にはボトルそのものを傾けて内容物を注出する際に接地しボトルの傾倒姿勢を安定的に保持するための平坦壁１０ａが設けられている（ボトルが起立姿勢にあるとき該平坦壁１０ａは接地面に対して特定の角度をもった傾斜壁となっている）。１１はグリップ部７の背面壁７ｃの下側に設けられた横リブである。
【００２１】
上記の構成になるブローボトルは図７に示すように、口頸部１をその背後から押圧するだけで該口頸部１がボトルの前方側へスムーズに屈曲、傾倒（傾倒する向きは常に一定になっている）して頸曲がり姿勢を保持しこの時内容物がこぼれ出るようなことはない。
【００２２】
口頸部１が傾倒すると、ボトルの前方側では溝底５ｃによって形成される折れ目ラインから下縁５ｂに至るまでの領域がボトルの内側へと落ち込み、その部位から背後に向かう領域（とくに下縁５ｂ）については屈曲、傾倒の際の応力の集中により外側へ向けて膨出する。
【００２３】
図８は本発明にしたがうブローボトルの他の実施の形態を示した図である。溝部５によって形成される折れ目ラインは、肩部２の半周を過ぎた個所から溝部５の上縁５ａ、下縁５ｂに向けて円弧領域５ｃ１、５ｃ２により分岐させることが可能であり、この場合、口頸部１の屈曲、傾倒がよりスムーズになる。
【００２４】
折れ目ラインは２本以上の曲線を適用して形成してもよく、上掲図８に示すような円弧領域（２本以上の曲線）を適用するものに限定はされない。
【００２５】
ボトルのヒール部１０に設けた平坦壁１０ａについてはこの例では三日月形状を有するものを例として示したが、形状は種々のものが適用できる。
【００２６】
ボトルを構成する合成樹脂としては、ポリエチレンテレフタレート樹脂、ポリエチレン樹脂あるいはポリプロピレン樹脂を含むオレフィン系樹脂が適用される。また、エチレンビニルアルコール共重合体（EVOH）、ナイロン樹脂等から形成されるバリア層を備えた積層ボトルを構成してもよいし、複数の合成樹脂をブレンドした層を有するボトルを構成することも可能である。
【００２７】
グリップ部７に替えて把手を別途に設ける場合にはボトルのブロー成形に際して把手の取り付け部分に樹脂を周り込ませてボトルの胴部あるいは肩部において一体化する、所謂インサート成形を適応すればよい。
【００２８】
溝部５を台形形状とする場合（図示せず）には、溝部５の溝底５ｃと、その溝底５ｃを挟む上下の傾斜壁とを連結する稜線のうちの少なくとも一方を屈曲、傾倒時の起点となる折れ目ラインとすればよく、この場合も傾斜壁の断面形状については直線状あるいは曲線状とすることができる。
【産業上の利用可能性】
【００２９】
内容物の注ぎ易い頸曲がりタイプの合成樹脂製ブローボトルが提供できる。
【図面の簡単な説明】
【００３０】
【図１】本発明にしたがうブローボトルの側面を示した図である。
【図２】図１に示したブローボトルの正面を示した図である。
【図３】図１に示したブローボトルの背面を示した図である。
【図４】図１に示したブローボトルの平面を示した図である。
【図５】図１に示したブローボトルのＡ−Ａ断面を示した図である。
【図６】図１に示したブローボトルの底面を示した図である。
【図７】図１に示したブローボトルにおいて口頸部を屈曲、傾倒させた状態を示した図である。
【図８】本発明にしたがうブローボトルの他の実施の形態を側面について示した図である。
【符号の説明】
【００３１】
１  口頸部
２  肩部
３  胴部
４  底部
５  溝部
５ａ上縁
５ｂ下縁
５ｃ溝底
６  パネル
６ａ縁端
６ｂ縁端
７  グリップ部
７ａ凹部
７ｂ凹部
７ｃ背面壁
８ａ横リブ
８ｂ横リブ
９凹凸
１０ヒール部
１１横リブ
【図１】
2010006424.tif 000003
【図２】
2010006424.tif 000004
【図３】
2010006424.tif 000005
【図４】
2010006424.tif 000006
【図５】
2010006424.tif 000007
【図６】
2010006424.tif 000008
【図７】
2010006424.tif 000009
【図８】
2010006424.tif 000010